(57)【要約】【課題】簡易な構成でありながら、画像の記録と印刷とを精度よく実行することが可能な印刷装置を提供すること。【解決手段】印刷実行時には移動量規制カム６３は仮想線で示す位置Ｄに配置されており、移動板６１はアクチュエータ６２の駆動により仮想線で示す位置Ａまたは位置Ｂに配置される。この状態においては、版胴ギヤ４１とブランケット胴ギヤ４２とは互いに噛合されており、第１の版胴１１は駆動モータの駆動により回転する。一方、画像の記録時には移動量規制カム６３は実線で示す位置Ｅに配置されており、移動板６１はアクチュエータ６２の駆動により実線Ｃで示す位置に配置される。この状態においては、版胴ギヤとブランケット胴ギヤとの噛合関係は解除されている。この状態において、モータにより版胴ギヤ４１を駆動し、第１の版胴１１を低速で回転させる。【選択図】　　　　図２
2004025526.tif 000002
【特許請求の範囲】
【請求項１】
その外周部に印刷版を装着する版胴と、
その外周部にブランケットを装着するブランケット胴と、
圧胴と、
前記版胴の外周部に装着された印刷版に画像を記録する画像記録装置と、
前記版胴の外周部に装着された印刷版にインキを供給するインキ供給装置と、
前記版胴の側方に配設され、前記版胴と同期して回転する版胴ギヤと、
前記ブランケット胴の側方において前記版胴ギヤと噛合可能な状態で配設され、前記ブランケット胴と同期して回転するブランケット胴ギヤと、
前記圧胴の側方において前記ブランケット胴ギヤと噛合する状態で配設され、前記圧胴と同期して回転する圧胴ギヤと、
前記ブランケット胴ギヤを、前記版胴ギヤと噛合する印刷位置と前記版胴ギヤから離隔する製版位置との間で移動させるブランケット胴ギヤ移動機構と、
前記ブランケット胴ギヤを前記印刷位置に配置した状態で、前記版胴、前記ブランケット胴および前記圧胴を同期して回転させるための、前記版胴ギヤと前記ブランケット胴ギヤを介して連結した第１のモータと、
前記ブランケット胴ギヤを前記製版位置に配置した状態で、前記版胴を回転させるための前記版胴ギヤと連結した第２のモータと、
を備えたことを特徴とする印刷装置。
【請求項２】
請求項１に記載の印刷装置において、
前記ブランケット胴ギヤ移動機構は、前記ブランケット胴ギヤを、前記圧胴ギヤおよび前記版胴ギヤと噛合する印刷位置と、前記圧胴ギヤとは噛合するが前記版胴ギヤから離隔する製版位置との間で移動させる印刷装置。
【請求項３】
請求項１または請求項２に記載の印刷装置において、
前記ブランケット胴ギヤは前記ブランケット胴の側方に固定されており、前記ブランケット胴ギヤ移動機構は、前記ブランケット胴とともに前記ブランケット胴ギヤを前記印刷位置と前記製版位置との間で移動させる印刷装置。
【請求項４】
請求項３に記載の印刷装置において、
前記第２のモータは前記版胴ギヤとクラッチを介して接続されるとともに、製版時において前記版胴の回転角度位置を検出するロータリエンコーダを配設した印刷装置。
【請求項５】
請求項２乃至請求項４のいずれかに記載の印刷装置において、
前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、
前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、
前記ブランケット胴ギヤ移動機構は、前記版圧機構による前記ブランケット胴の移動ストロークを拡大することにより、前記ブランケット胴を前記印刷位置と前記製版位置との間で移動させる印刷装置。
【請求項６】
請求項２乃至請求項４のいずれかに記載の印刷装置において、
前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、
前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、
前記ブランケット胴ギヤ移動機構は、前記ブランケット胴、前記版圧機構および前記印圧機構を支持した状態で前記圧胴の回転中心を中心に揺動する揺動アームの揺動動作により、前記ブランケット胴を前記印刷位置と前記製版位置との間で移動させる印刷装置。
【請求項７】
請求項２乃至請求項４のいずれかに記載の印刷装置において、
前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、
前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、
前記ブランケット胴ギヤ移動機構は、前記ブランケット胴、前記版圧機構および前記印圧機構を支持した状態で前記ブランケット胴の回転中心とは異なる位置を回転中心として回転する偏芯フランジの回転動作により、前記ブランケット胴を前記印刷位置と前記製版位置との間で移動させる印刷装置。
【発明の詳細な説明】
【０００１】
【発明の属する技術分野】
この発明は、版胴の外周部に装着された印刷版に画像を記録して製版した後、この印刷版にインキを供給して印刷を行う印刷装置に関する。
【０００２】
【従来の技術】
従来の一般的な印刷装置においては、製版工程において白黒二値画像の記録されたフィルムと印刷版とを密着させて露光することにより印刷版を作成し、この印刷版を印刷装置に装着した上で、印刷工程を実行していた。
【０００３】
一方、近年、このような製版工程と印刷工程とを一つの装置で実行することができる、デジタル印刷機と一般的に呼称される印刷装置が提案されている。このデジタル印刷機においては、画像信号に基づき変調されたレーザビーム等により、印刷版を直接走査露光して印刷版に画像を形成する「コンピュータｔｏプレート」方式が採用されている。
【０００４】
このような版胴移動型の印刷装置においては、版胴の外周部に装着された印刷版に対して画像記録装置により画像を記録するために、版胴を一定の速度で回転させる必要がある。このとき、通常の印刷装置においては、版胴は、当該版胴と同芯状に配設された版胴ギヤにより、他の胴からの駆動を受けて回転する構成となっている場合が一般的である。このため、このような印刷装置の駆動系を利用して版胴を回転させることにより、版胴の外周部に装着された印刷版に画像を記録することも可能である。
【０００５】
また、特開２００１−９６７１２号公報においては、このような印刷装置の駆動系を利用して製版時に版胴を回転させる構成を採用する場合に、スイング機構や紙咥え機構、あるいは、インキ供給機構等による駆動系の負荷をクラッチにより切り離すことで、振動や負荷変動を防止するようにした印刷装置が開示されている。
【０００６】
【発明が解決しようとする課題】
画像記録装置により印刷版に画像を記録する画像記録時においては、その外周に印刷版を保持した状態の版胴を低速かつ高精度で回転させる必要がある。このとき、上述したように、印刷装置における駆動系を利用した場合、このような駆動系に使用されるインバータモータは版胴を高速で回転させることはできるが、その回転精度のバラツキが多いことから、精度の高い画像の記録が困難となるという問題が生ずる。
【０００７】
一方、特開平１１−５８６７１号公報には、製版時においては版胴を印刷位置から製版位置に移動させた後、印刷装置の駆動系とは別のトラクション方式の感動回転機構を利用して版胴を回転させながら画像の記録を行う印刷装置が開示されている。このような構成を採用した場合には、版胴の回転ムラを防止して画像の記録を高精度に実行させることが可能となるが、版胴の位置の再現性を得るための構成が複雑になり、また、版胴の移動に時間を要するという問題がある。
【０００８】
また、特開２０００−２８０４３９号公報には、版胴ギヤと版胴との間にクラッチを設け、製版時においては版胴と印刷装置の駆動系との駆動伝達関係を解除した後、印刷装置の駆動系に使用されるモータとは別のモータを利用して版胴を回転させながら画像の記録を行う印刷装置が開示されている。このような構成を採用した場合においても、版胴の回転ムラを防止して画像の記録を高精度に実行させることが可能となるが、印刷時においてクラッチの位相ずれに起因する見当ずれが発生することから、天地方向の見当合わせ装置を別途設置する必要が生じるという問題がある。
【０００９】
この発明は上記課題を解決するためになされたものであり、簡易な構成でありながら、画像の記録と印刷とを精度よく実行することが可能な印刷装置を提供することを目的とする。
【００１０】
【課題を解決するための手段】
請求項１に記載の発明は、その外周部に印刷版を装着する版胴と、その外周部にブランケットを装着するブランケット胴と、圧胴と、前記版胴の外周部に装着された印刷版に画像を記録する画像記録装置と、前記版胴の外周部に装着された印刷版にインキを供給するインキ供給装置と、前記版胴の側方に配設され、前記版胴と同期して回転する版胴ギヤと、前記ブランケット胴の側方において前記版胴ギヤと噛合可能な状態で配設され、前記ブランケット胴と同期して回転するブランケット胴ギヤと、前記圧胴の側方において前記ブランケット胴ギヤと噛合する状態で配設され、前記圧胴と同期して回転する圧胴ギヤと、前記ブランケット胴ギヤを、前記版胴ギヤと噛合する印刷位置と前記版胴ギヤから離隔する製版位置との間で移動させるブランケット胴ギヤ移動機構と、前記ブランケット胴ギヤを前記印刷位置に配置した状態で、前記版胴、前記ブランケット胴および前記圧胴を同期して回転させるための、前記版胴ギヤと前記ブランケット胴ギヤを介して連結した第１のモータと、前記ブランケット胴ギヤを前記製版位置に配置した状態で、前記版胴を回転させるための前記版胴ギヤと連結した第２のモータとを備えたことを特徴とする。
【００１１】
請求項２に記載の発明は、請求項１に記載の発明において、前記ブランケット胴ギヤ移動機構は、前記ブランケット胴ギヤを、前記圧胴ギヤおよび前記版胴ギヤと噛合する印刷位置と、前記圧胴ギヤとは噛合するが前記版胴ギヤから離隔する製版位置との間で移動させる。
【００１２】
請求項３に記載の発明は、請求項１または請求項２に記載の発明において、前記ブランケット胴ギヤは前記ブランケット胴の側方に固定されており、前記ブランケット胴ギヤ移動機構は、前記ブランケット胴とともに前記ブランケット胴ギヤを前記印刷位置と前記製版位置との間で移動させる。
【００１３】
請求項４に記載の発明は、請求項３に記載のにおいて、前記第２のモータは前記版胴ギヤとクラッチを介して接続されるとともに、製版時において前記版胴の回転角度位置を検出するロータリエンコーダを配設している。
【００１４】
請求項５に記載の発明は、請求項２乃至請求項４のいずれかに記載の発明において、前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、前記ブランケット胴ギヤ移動機構は、前記版圧機構による前記ブランケット胴の移動ストロークを拡大することにより、前記ブランケット胴を前記印刷位置と前記製版位置との間で移動させる。
【００１５】
請求項６に記載の発明は、請求項２乃至請求項４のいずれかに記載の発明において、前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、前記ブランケット胴ギヤ移動機構は、前記ブランケット胴、前記版圧機構および前記印圧機構を支持した状態で前記圧胴の回転中心を中心に揺動する揺動アームの揺動動作により、前記ブランケット胴を前記印刷位置と前記製版位置との間で移動させる。
【００１６】
請求項７に記載の発明は、請求項２乃至請求項４のいずれかに記載の発明において、前記ブランケット胴を、前記版胴の外周部に装着された印刷版と前記ブランケット胴の外周部に装着されたブランケットとが当接する位置と、前記版胴の外周部に装着された印刷版と前記ブランケット胴の外周部に装着されたブランケットとが離隔する位置との間で移動させる版圧機構と、前記ブランケット胴を、前記ブランケット胴の外周部に装着されたブランケットと前記圧胴の表面とが当接する位置と、前記ブランケット胴の外周部に装着されたブランケットと前記圧胴の表面とが離隔する位置との間で移動させる印圧機構とをさらに備えるとともに、前記ブランケット胴ギヤ移動機構は、前記ブランケット胴、前記版圧機構および前記印圧機構を支持した状態で前記ブランケット胴の回転中心とは異なる位置を回転中心として回転する偏芯フランジの回転動作により、前記ブランケット胴を前記印刷位置と前記製版位置との間で移動させる。
【００１７】
【発明の実施の形態】
以下、この発明の実施の形態を図面に基づいて説明する。図１は、この発明を適用する印刷装置の概要図である。
【００１８】
この印刷機は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００１９】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９をスプロケット１８との間で巻回した排紙胴１７とを有する。
【００２０】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００２１】
また、圧胴１５に隣接して配設された給紙胴１６は、圧胴１５と同一の直径を有する。この給紙胴１６は、給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００２２】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、グリッパが配設されている。圧胴１５のグリッパにより保持された印刷用紙の先端部は、圧胴１５から排紙胴１７への印刷用紙の受け渡し時に、排紙胴１７のいずれかのグリッパにより保持される。そして、この印刷用紙は、チェーン１９の移動に伴って、排紙部２８上に排出される。
【００２３】
前記圧胴１５は、ベルト２２を介して駆動モータ１０と連結されている。そして、圧胴１５、給紙胴１６、排紙胴１７、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、第１、第２のブランケット胴１３、１４が後述する印刷位置に配置された状態においては、その端部に付設されたギヤにより各々連結されている。従って、駆動モータ１０の駆動により、これらの給紙胴１６、圧胴１５、排紙胴１７、第１、第２のブランケット胴１３、１４、第１、第２の版胴１１、１２は、互いに同期して回転する。
【００２４】
第１の版胴１１の周囲には、印刷版に例えばブラック（Ｋ）のインキを供給するためのインキ供給装置２０ａと、印刷版に例えばマゼンタ（Ｍ）のインキを供給するためのインキ供給装置２０ｂと、印刷版に湿し水を供給するための湿し水供給装置２１ａ、２１ｂとが配置されている。また、第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２５】
さらに、第１の版胴１１または第２の版胴１２の周囲には、それぞれ、第１の版胴１１の外周部に印刷版を供給するための給版部２３と、第２の版胴の外周部に印刷版を供給するための給版部２４と、第１の版胴１１の外周部に装着された印刷版に画像を記録するための画像記録装置２５と、第２の版胴１２の外周部に装着された印刷版に画像を記録するための画像記録装置２６と、第１の版胴１１および第２の版胴１２に共通の排版部２９とが配置されている。
【００２６】
このような構成を有する印刷装置においては、給版部２３における供給カセット３１から引き出された印刷版はカッター３２により所定のサイズに切断される。そして、切断されたシート状の印刷版の先端部は、ガイドローラおよびガイド部材により案内され、第１の版胴１１のくわえ爪にくわえられる。そして、第１の版胴１１が後述するモータ４３の駆動により回転し、印刷版が第１の版胴１１の外周部に巻き付けられ、印刷版の後端部は他方のくわえ爪によりくわえられる。この状態において、第１の版胴１１を後述するモータ４３の駆動により低速で回転させながら、画像記録装置２５により第１の版胴１１の外周部に保持された印刷版の表面に変調されたレーザビームを照射し、画像を記録する。
【００２７】
同様に、給版部２４における供給カセット３３から引き出された印刷版はカッター３２により所定のサイズに切断される。そして、切断されたシート状の印刷版の先端部は、ガイドローラおよびガイド部材により案内され、第２の版胴１２のくわえ爪にくわえられる。そして、第２の版胴１２が後述するモータ４３の駆動により回転し、印刷版が第２の版胴１２の外周部に巻き付けられ、印刷版の後端部は他方のくわえ爪によりくわえられる。この状態において、第２の版胴１２を後述するモータ４３の駆動により低速で回転させながら、画像記録装置２６により第２の版胴１２の外周部に保持された印刷版の表面に変調されたレーザビームを照射し、画像を記録する。
【００２８】
なお、第１の版胴１１の外周部には、ブラックのインキで印刷を行うための印刷版と、マゼンタのインキで印刷を行うための印刷版とが装着される。これら２枚の印刷版は、均等に振り分けられた状態（すなわち互いに１８０度離隔した状態）となる位置に配置され、画像記録装置２５はこれらの印刷版に画像を記録する。同様に、第２の版胴１２の外周部には、シアンのインキで印刷を行うための印刷版と、イエローのインキで印刷を行うための印刷版と装着される。これら２枚の印刷版も、均等に振り分けられた状態となる位置に配置され、画像記録装置２６はこれらの印刷版に画像を記録して、製版工程が終了する。
【００２９】
製版工程が完了すれば、第１、第２の版胴１１、１２上の印刷版を用いて印刷用紙に印刷を行う印刷工程を実行する。この印刷工程は、次のようにして実行される。
【００３０】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３１】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００３２】
このようにして、４色の印刷が終了した印刷用紙の先端部は、圧胴１５から排紙胴１７に渡される。そして、４色の印刷が終了した印刷用紙は、一対のチェーン１９の駆動により、排紙部２８に向けて搬送されて排出される。
【００３３】
印刷工程が終了すれば、印刷に使用した印刷版を排版部２９に排出する。そして、図示しないブランケット胴洗浄装置により第１、第２のブランケット胴１３、１４を洗浄して印刷工程を終了する。
【００３４】
このような印刷装置においては、製版時に画像の記録を高精度に実行するためには、第１、第２の版胴１１、１２を、印刷時に給紙胴１６、圧胴１５、排紙胴１７、第１、第２のブランケット胴１３、１４、第１、第２の版胴１１、１２を同期して回転させるモータ１０とは別のモータ４３により回転させる必要がある。このため、この印刷装置においては、第１のブランケット胴１３および第２のブランケット胴１４の側方に固定されたブランケット胴ギヤ４２を第１の版胴１１および第２の版胴１２の側方に固定された版胴ギヤ４１と噛合する印刷位置と版胴ギヤ４１から離隔する製版位置との間で移動させるブランケット胴ギヤ移動機構を採用している。
【００３５】
以下、このブランケット胴ギヤ移動機構の構成について説明する。図２はこの発明の第１実施形態に係るブランケット胴ギヤ移動機構の構成を示す側面図であり、図３はその要部を示す展開図である。
【００３６】
なお、以下の説明においては、第１の版胴１１および第１のブランケット胴１３を引用して説明するが、第２の版胴１２および第２のブランケット胴１４についても同様の構成が採用されている。また、図２においては第１のブランケット胴１３およびブランケット胴ギヤ４２を後述する製版位置に配置した状態を示し、図３においては第１のブランケット胴１３およびブランケット胴ギヤ４２を後述する印刷位置に配置した状態を示している。
【００３７】
図３に示すように、上述した第１の版胴１１の軸５２は、一対の側板５１に軸支されており、第１の版胴１１は軸５２を中心に回転する。この第１の版胴１１の側方には、版胴ギヤ４１が固定されており、版胴ギヤ４１は第１の版胴１１とともに回転する。第１の版胴１１の一方の軸５２は、ロータリエンコーダ５３と接続されており、その回転角度位置は、ロータリエンコーダ５３により検出される。
【００３８】
一方の側板５１にはモータ４３が配設されている。このモータ４３の駆動軸はクラッチ４４を介して駆動ギヤ４５に連結されており、この駆動ギヤ４５はアイドラギヤ４６を介して版胴ギヤ４１に連結されている。第１の版胴１１は、画像の記録時において第１のブランケット胴１３およびブランケット胴ギヤ４２が後述する製版位置に移動した状態で、モータ４３の駆動を受け回転する。
【００３９】
図２および図３に示すように、第１のブランケット胴１３の支軸５９は、一対の偏芯軸受５５に軸支された偏芯軸５４と連結している。そして、第１のブランケット胴１３の内部には、第１のブランケット１３を支軸５９に対して回転可能に支持するベアリングが配設されており、第１のブランケット胴５４は支軸５９を中心に回転する。なお、第１のブランケット胴１３の支軸５９の軸芯と偏芯軸５４の軸芯とは一致しておらず、第１のブランケット胴１３の支軸５９と偏芯軸５４とは一定の偏芯量をもって偏芯している。
【００４０】
この第１のブランケット胴１３の側方には、ブランケット胴ギヤ４２が固定されており、ブランケット胴ギヤ４２は第１のブランケット胴１３とともに回転する。このブランケット胴ギヤ４２は、第１のブランケット胴１３およびブランケット胴ギヤ４２が後述する印刷位置に配置された状態で、版胴ギヤ４１と噛合する。また、圧胴１５の側方には、圧胴ギヤが固定されており、圧胴ギヤは圧胴１５とともに回転する。この圧胴ギヤは、ブランケット胴ギヤ４２と噛合している。
【００４１】
上記一対の偏芯軸受５５は、一対の側板５１に回転可能に支持されている。そして、その回転中心は、第１のブランケット胴１３の支軸５９の中心から偏芯した位置にある。また、この回転軸受５５に固定された駆動板５７は、側板５１にその一端を固定されたアクチュエータ５６の駆動ロッドと接続されている。このため、一対の偏芯軸受５５は、一対のアクチュエータ５６の駆動により回転する。そして、一対の偏芯軸受５５が回転した場合には、その偏芯量に応じて、第１のブランケット胴１３の支軸５９の位置が変位する。
【００４２】
このため、偏芯軸受５５の偏芯量を予め設定することにより、第１のブランケット胴１３を、第１のブランケット胴１３の外周部に装着されたブランケットと圧胴１５の表面とが当接する位置と、第１のブランケット胴１３の外周部に装着されたブランケットと圧胴１５の表面とが離隔する位置との間で移動させることができる。上述した偏芯軸受５５やアクチュエータ５６等による第１のブランケット胴１３の移動機構は、第１のブランケット胴１３を、第１のブランケット胴１３の外周部に装着されたブランケットと圧胴１５の表面とが当接する位置と、第１のブランケット胴１３の外周部に装着されたブランケットと圧胴１５の表面とが離隔する位置との間で移動させる印圧機構として機能する。
【００４３】
なお、第１のブランケット胴１３の外周部に装着されたブランケットが圧胴１５の表面とから離隔した状態においては、第１のブランケット胴１３の外周部に装着されたブランケットの表面と圧胴１５の表面との間の距離は、例えば、０．６ｍｍ程度に調整される。また、１のブランケット胴１３の外周部に装着されたブランケットと圧胴１５の表面とが当接した状態においては、両者の当接圧は印刷に必要な印圧に予め調整される。この印圧の調整は、ストッパー５８により実行される。
【００４４】
上述した偏芯軸５４の先端には、移動板６１が固定されている。この移動板６１は、回転軸受５５にその一端を固定されたアクチュエータ６２の駆動ロッドと接続されている。このため、一対の偏芯軸５４は、一対のアクチュエータ６２の駆動により回転する。そして、第１のブランケット胴１３の支軸５９と偏芯軸５４とは一定の偏芯量をもって偏芯していることから、偏芯軸５４が回転した場合には、その偏芯量に応じて、第１のブランケット胴１３の支軸５９の位置が変位する。そして、その変位量は、移動板６１の移動量に比例する。
【００４５】
移動板６１の一端には、移動板６１の移動量を規制するための移動量規制カム６３が配設されている。この移動量規制カム６３は、アクチュエータ６５の駆動により、軸６４を中心に図２において実線で示す位置Ｅと、仮想線で示す位置Ｄとの間を移動する。そして、移動量規制カム６３が実線で示す位置Ｅに配置された場合には、移動板６１は仮想線で示す位置Ａと実線で示す位置Ｃとの間を移動し、移動量規制カム６３が仮想線で示す位置Ｄに配置された場合には、移動板６１は仮想線で示す位置Ａと仮想線で示す位置Ｂとの間を移動することになる。なお、図２における符号６６は、移動板６１の移動量を規制するストッパーである。
【００４６】
移動板６１が図２において仮想線で示す位置Ａに配置された場合には、第１の版胴１１の外周部に装着された印刷版と第１のブランケット胴１３の外周部に装着されたブランケットとが当接する状態となる。また、移動板６１が図２において仮想線で示す位置Ｂに配置された場合には、第１の版胴１１の外周部に装着された印刷版と第１のブランケット胴１３の外周部に装着されたブランケットとが、例えば、０．３ｍｍ程度の距離だけ離隔する状態となる。これらの場合には、いずれも、第１のブランケット胴１３およびブランケット胴ギヤ４２は、ブランケット胴ギヤ４２と版胴ギヤ４１とが噛合し、ブランケット胴ギヤ４２と圧胴ギヤとが噛合する印刷位置に配置されることになる。
【００４７】
また、移動板６１が図２において実線で示す位置Ｃに配置された場合には、第１の版胴１１の外周部に装着された印刷版と第１のブランケット胴１３の外周部に装着されたブランケットとがさらに離隔する状態となる。この場合には、第１のブランケット胴１３およびブランケット胴ギヤ４２は、ブランケット胴ギヤ４２と版胴ギヤ４１とが噛合状態を解いて離隔する製版位置に配置されることになる。この場合においても、ブランケット胴ギヤ４２と圧胴ギヤとの噛合関係は継続している。
【００４８】
なお、上述した移動板６１やアクチュエータ６２等による第１のブランケット胴１３の移動機構は、第１のブランケット胴１３を、第１の版胴１５の外周部に装着された印刷版と第１のブランケット胴１３の外周部に装着されたブランケットとが当接する位置と、第１の版胴１５の外周部に装着された印刷版と第１のブランケット胴１３の外周部に装着されたブランケットとが離隔する位置との間で移動させる版圧機構として機能する。
【００４９】
以上のような構成を有するブランケット胴ギヤ移動機構においては、印刷実行時には移動量規制カム６３は図２において仮想線で示す位置Ｄに配置されており、移動板６１はアクチュエータ６２の駆動により図２において仮想線で示す位置Ａあるいは仮想線で示す位置Ｂに配置される。この状態においては、版胴ギヤ４１とブランケット胴ギヤ４２とは互いに噛合されており、第１の版胴１１は駆動モータ１０の駆動により、第１のブランケット胴１３、圧胴１５、給紙胴１６、排紙胴１７、第２のブランケット胴１４、第２の版胴１２等と同期して回転する。なお、この状態においては、クラッチ４４の作用により、第１の版胴１１の回転がモータ４３に影響を与えることはない。
【００５０】
一方、画像の記録時には、移動量規制カム６３は図２において実線で示す位置Ｅに配置されており、移動板６１はアクチュエータ６２の駆動により図２において実線Ｃで示す位置に配置される。この状態においては、版胴ギヤ４１とブランケット胴ギヤ４２との噛合関係は解除されている。そして、この状態において、モータ４３により駆動ギヤ４５およびアイドラギヤ４６を介して版胴ギヤ４１を駆動し、第１の版胴１１を低速で回転させる。そして、図１に示す画像記録装置２５により第１の版胴１１の外周面に装着された印刷版に変調されたレーザビームを照射して画像を記録する。
【００５１】
以上のような構成を有する印刷装置においては、製版時には版胴ギヤ４１を印刷装置の駆動系から切り離した状態で、モータ４３の駆動により独立して回転させることができることから、簡易な構成でありながら、画像の記録と印刷とを精度よく実行することが可能となる。
【００５２】
このとき、画像の記録時には、第１の版胴１１の回転角度位置がロータリエンコーダ５３により常に検出される。このため、版胴ギヤ４１とブランケット胴ギヤ４２との噛合関係を一旦解除した場合においても、位相ずれを生ずることがなく、また、画像の記録精度をより良好に維持することが可能となる。
【００５３】
また、第１の版胴１１と第１のブランケット胴１３とを独立して回転させることができることから、第１の版胴１１を使用しての画像の記録時に第１のブランケット胴１３の洗浄を実行することも可能となる。
【００５４】
次に、ブランケット胴ギヤ移動機構の他の実施形態について説明する。図４はこの発明の第２実施形態に係るブランケット胴ギヤ移動機構の構成を示す側面図であり、図５はその要部を示す展開図である。
【００５５】
上述した第１実施形態に係るブランケット胴ギヤ移動機構においては、版圧機構による第１のブランケット胴１３の移動ストロークを拡大することにより、第１のブランケット胴１３およびブランケット胴ギヤ４２を印刷位置と製版位置との間で移動させているが、この第２実施形態の係るブランケット胴ギヤ移動機構においては、第１のブランケット胴１３と版圧機構および印圧機構とを支持した状態で圧胴１５の回転中心を中心に揺動する揺動アーム７１の揺動動作により、第１のブランケット胴１３およびブランケット胴ギヤ４２を印刷位置と製版位置との間で移動させる構成となっている。
【００５６】
なお、以下の説明においては、上述した第１実施形態と同一の部材については、同一の符号を付して詳細な説明を省略する。
【００５７】
この第２実施形態に係るブランケット胴ギヤ移動機構においては、上述した偏芯軸受５５、アクチュエータ５６およびストッパー５８、６６は、一対の揺動アーム７１上に配設されている。そして、この揺動アーム７１は、側板５１にその一端を固定されたアクチュエータ７３の駆動ロッドと連結されており、圧胴１５の軸７２を中心に揺動可能となっている。なお、図５に示す符号４０は、圧胴１５の側方に固定された圧胴ギヤである。
【００５８】
この第２実施形態に係るブランケット胴ギヤ移動機構においては、印刷実行時には、揺動アーム７１は図４において実線で示す位置Ｈに配置されており、移動板６１はアクチュエータ６２の駆動により図２において仮想線Ａで示す位置あるいは仮想線Ｂで示す位置に配置される。この状態においては、版胴ギヤ４１とブランケット胴ギヤ４２、また、ブランケット胴ギヤ４２と圧胴ギヤ４０とは互いに噛合されており、第１の版胴１１は駆動モータ１０の駆動により、第１のブランケット胴１３、圧胴１５、給紙胴１６、排紙胴１７、第２のブランケット胴１４、第２の版胴１２等と同期して回転する。なお、この状態においては、クラッチ４４の作用により、第１の版胴１１の回転がモータ４３に影響を与えることはない。
【００５９】
一方、画像の記録時には、揺動アーム７１は図４において実線で示す位置Ｈから仮想線で示す位置Ｉに移動する。これに伴って、第１のブランケット胴１３は、図４において実線で示す位置Ｆから仮想線で示す位置Ｇに移動する。この状態においては、ブランケット胴ギヤ４２と圧胴ギヤ４０とは噛合しているが、版胴ギヤ４１とブランケット胴ギヤ４２との噛合関係は解除されている。そして、この状態において、モータ４３により駆動ギヤ４５およびアイドラギヤ４６を介して版胴ギヤ４１を駆動し、第１の版胴１１を低速で回転させる。そして、図１に示す画像記録装置２５により第１の版胴１１の外周面に装着された印刷版に変調されたレーザビームを照射して画像を記録する。
【００６０】
次に、ブランケット胴ギヤ移動機構のさらに他の実施形態について説明する。図６はこの発明の第３実施形態に係るブランケット胴ギヤ移動機構の構成を示す側面図であり、図７はその要部を示す展開図である。
【００６１】
上述した第１実施形態に係るブランケット胴ギヤ移動機構においては、版圧機構による第１のブランケット胴１３の移動ストロークを拡大することにより、第１のブランケット胴１３およびブランケット胴ギヤ４２を印刷位置と製版位置との間で移動させているが、この第３実施形態の係るブランケット胴ギヤ移動機構においては、第１のブランケット胴１３と版圧機構および印圧機構とを支持した状態で回転する偏芯フランジ８１の回転動作により、第１のブランケット胴１３およびブランケット胴ギヤ４２を印刷位置と製版位置との間で移動させる構成となっている。
【００６２】
なお、以下の説明においては、上述した第１、第２実施形態と同一の部材については、同一の符号を付して詳細な説明を省略する。
【００６３】
この第３実施形態に係るブランケット胴ギヤ移動機構においては、上述した偏芯軸受５５、アクチュエータ５６およびストッパー５８、６６は、一対の偏芯フランジ８１上に配設されている。そして、この偏芯フランジ８１は、側板５１にその一端を固定されたアクチュエータ８３の駆動ロッドと連結されており、一対の側板５１に形成された孔部内を回転可能となっている。そして、偏芯フランジ８１の回転中心は、第１のブランケット胴１３の支軸５９の中心から偏芯した位置にある。このため、アクチュエータ５６の駆動により偏芯フランジ８１を回転させた場合には、第１のブランケット胴１３の位置が変更されることになる。
【００６４】
この第２実施形態に係るブランケット胴ギヤ移動機構においては、印刷実行時には、偏芯フランジ８１は図６において実線で示す位置Ｊに配置されており、移動板６１はアクチュエータ６２の駆動により図２において仮想線Ａで示す位置あるいは仮想線Ｂで示す位置に配置される。この状態においては、版胴ギヤ４１とブランケット胴ギヤ４２、また、ブランケット胴ギヤ４２と圧胴ギヤ４０とは互いに噛合されており、第１の版胴１１は駆動モータ１０の駆動により、第１のブランケット胴１３、圧胴１５、給紙胴１６、排紙胴１７、第２のブランケット胴１４、第２の版胴１２等と同期して回転する。なお、この状態においては、クラッチ４４の作用により、第１の版胴１１の回転がモータ４３に影響を与えることはない。
【００６５】
一方、画像の記録時には、偏芯フランジ８１は図６において実線で示す位置Ｊから仮想線で示す位置Ｋに移動する。これに伴って、第１のブランケット胴１３は、図６において実線で示す位置Ｆから仮想線で示す位置Ｇに移動する。この状態においては、ブランケット胴ギヤ４２と圧胴ギヤ４０とは噛合しているが、版胴ギヤ４１とブランケット胴ギヤ４２との噛合関係は解除されている。そして、この状態において、モータ４３により駆動ギヤ４５およびアイドラギヤ４６を介して版胴ギヤ４１を駆動し、第１の版胴１１を低速で回転させる。そして、図１に示す画像記録装置２５により第１の版胴１１の外周面に装着された印刷版に変調されたレーザビームを照射して画像を記録する。
【００６６】
次に、ブランケット胴ギヤ移動機構のさらに他の実施形態について説明する。図８〜図１０は、この発明の第４〜第６実施形態に係るブランケット胴ギヤ移動機構の構成を示す側面図である。
【００６７】
上述した第１〜第３実施形態に係るブランケット胴ギヤ移動機構においては、第１のブランケット胴１３をその軸芯と直交する方向に移動させることにより、ブランケット胴ギヤ４２を、版胴ギヤ４１と噛合する印刷位置と版胴ギヤ４１から離隔する製版位置との間で移動させる構成を採用している。これに対し、この第４〜第６実施形態に係るブランケット胴ギヤ移動機構においては、ブランケット胴ギヤ４２を第１のブランケット胴１３の軸芯と平行な方向に移動させることにより、ブランケット胴ギヤ４２を、版胴ギヤ４１と噛合する印刷位置と版胴ギヤ４１から離隔する製版位置との間で移動させる構成となっている。
【００６８】
なお、以下の説明においては、上述した第１〜第３実施形態と同一の部材については、同一の符号を付して詳細な説明を省略する。
【００６９】
図８に示す第４実施形態においては、第１のブランケット胴１３をブランケット胴ギヤ４２とともに、第１のブランケット胴１３の支軸５９に対して側方に移動させることにより、ブランケット胴ギヤ４２を、版胴ギヤ４１と噛合する印刷位置と版胴ギヤ４１から離隔する製版位置との間で移動させる構成となっている。なお、ブランケット胴ギヤ４２の移動に伴いブランケット胴ギヤ４２と圧胴ギヤ４０との噛合関係が解除されることを防止するため、この実施形態においては、圧胴ギヤ４０の厚みを第１〜第３実施形態の場合の２倍程度としている。
【００７０】
図９に示す第５実施形態においては、第１のブランケット胴１３とブランケット胴ギヤ４２を第１のブランケット胴１３の支軸５９とともに側方に移動させることにより、ブランケット胴ギヤ４２を、版胴ギヤ４１と噛合する印刷位置と版胴ギヤ４１から離隔する製版位置との間で移動させる構成となっている。この実施形態においても、ブランケット胴ギヤ４２の移動に伴いブランケット胴ギヤ４２と圧胴ギヤ４０との噛合関係が解除されることを防止するため、圧胴ギヤ４０の厚みを第１〜第３実施形態の場合の２倍程度としている。
【００７１】
図１０に示す第６実施形態においては、ブランケット胴ギヤ４２のみを第１のブランケット胴１３に対して側方に移動させることにより、このブランケット胴ギヤ４２を、版胴ギヤ４１と噛合する印刷位置と版胴ギヤ４１から離隔する製版位置との間で移動させる構成となっている。この実施形態においても、ブランケット胴ギヤ４２の移動に伴いブランケット胴ギヤ４２と圧胴ギヤ４０との噛合関係が解除されることを防止するため、圧胴ギヤ４０の厚みを第１〜第３実施形態の場合の２倍程度としている。
【００７２】
上述した第４〜第６実施形態においても、製版時には版胴ギヤ４１を印刷装置の駆動系から切り離した状態で、モータ４３の駆動により独立して回転させることができることから、簡易な構成でありながら、画像の記録と印刷とを精度よく実行することが可能となる。
【００７３】
なお、上述した第１乃至第３実施形態においては、版圧機構として偏芯したブランケット胴軸を、また、印圧機構として偏芯軸受を利用した場合について説明したが、この発明は、このような形態に限定されるべきものではない。例えば、版圧機構としては、偏芯軸受や揺動アームを利用し、あるいは、版胴ギヤ４１とブランケット胴ギヤ４２の連結を外す機構を兼用する方式を採用することができる。また、印圧機構としては、版胴を中心とし、あるいは、版胴とブランケット胴の軸芯を結ぶライン上もしくはその周辺に中心を持つ揺動アームを使用する方式を採用してもよい。
【００７４】
【発明の効果】
請求項１乃至請求項６に記載の発明によれば、ブランケット胴ギヤを、版胴ギヤと噛合する印刷位置と版胴ギヤから離隔する製版位置との間で移動させるブランケット胴ギヤ移動機構を備えたことから、簡易な構成でありながら、画像の記録と印刷とを精度よく実行することが可能となる。
【００７５】
特に、請求項４に記載の発明によれば、画像の記録時に版胴の回転角度位置がロータリエンコーダにより検出されることから、位相ずれを防止しながら、画像の記録精度をより良好に維持することが可能となる。
【図面の簡単な説明】
【図１】この発明を適用する印刷装置の概要図である。
【図２】この発明の第１実施形態に係るブランケット胴ギヤ移動機構の構成を示す側面図である。
【図３】この発明の第１実施形態に係るブランケット胴ギヤ移動機構の要部を示す展開図である。
【図４】この発明の第２実施形態に係るブランケット胴ギヤ移動機構の構成を示す側面図である。
【図５】この発明の第２実施形態に係るブランケット胴ギヤ移動機構の要部を示す展開図である。
【図６】この発明の第３実施形態に係るブランケット胴ギヤ移動機構の構成を示す側面図である。
【図７】この発明の第３実施形態に係るブランケット胴ギヤ移動機構の要部を示す展開図である。
【図８】この発明の第４実施形態に係るブランケット胴ギヤ移動機構の構成を示す概要図である。
【図９】この発明の第５実施形態に係るブランケット胴ギヤ移動機構の構成を示す概要図である。
【図１０】この発明の第６実施形態に係るブランケット胴ギヤ移動機構の構成を示す概要図である。
【符号の説明】
１０　　　駆動モータ
１１　　　第１の版胴
１２　　　第２の版胴
１３　　　第１のブランケット胴
１４　　　第２のブランケット胴
１５　　　圧胴
１６　　　給紙胴
１７　　　排紙胴
２０　　　インキ供給装置
２１　　　湿し水供給装置
２２　　　ベルト
２３　　　給版部
２４　　　給版部
２５　　　画像記録装置
２６　　　画像記録装置
２７　　　給紙部
２８　　　排紙部
２９　　　排版部
４０　　　圧胴ギヤ
４１　　　版胴ギヤ
４２　　　ブランケット胴ギヤ
４３　　　モータ
４４　　　クラッチ
４５　　　駆動ギヤ
４６　　　アイドラギヤ
５１　　　側板
５２　　　軸
５３　　　ロータリエンコーダ
５４　　　偏芯軸
５５　　　偏芯軸受
５６　　　アクチュエータ
５９　　　支軸
６１　　　移動板
６２　　　アクチュエータ
６３　　　移動量規制カム
６５　　　アクチュエータ
７１　　　揺動アーム
７２　　　軸
７３　　　アクチュエータ
８１　　　偏芯フランジ
８３　　　アクチュエータ
【図１】
2004025526.tif 000003
【図２】
2004025526.tif 000004
【図３】
2004025526.tif 000005
【図４】
2004025526.tif 000006
【図５】
2004025526.tif 000007
【図６】
2004025526.tif 000008
【図７】
2004025526.tif 000009
【図８】
2004025526.tif 000010
【図９】
2004025526.tif 000011
【図１０】
2004025526.tif 000012